(57)【特許請求の範囲】
【請求項１】
頂部シーブに捲着されたワイヤーロープを介して昇降台と連結されているカウンターウエイトの近接を作業員に知らせるための、工事用昇降装置のカウンターウエイト近接警報装置において、
前記ワイヤーロープを電らん入りロープとすると共に前記カウンターウエイトに近接警報器を設け、該近接警報器に前記電らん入りロープ内の電線を介して前記昇降台から電力供給を行うようにしたことを特徴とする工事用昇降装置のカウンターウエイト近接警報装置。
【発明の詳細な説明】
【０００１】
【発明の属する技術分野】
本発明は、工事用昇降装置のカウンターウエイトによる作業員の挟まれ事故を防止するための、工事用昇降装置のカウンターウエイト近接警報装置に関するものである。
【０００２】
【従来の技術】
工事現場で用いられている工事用エレベータや建設リフトの如き工事用昇降装置のうち、高速又は大型機種は、昇降台とカウンターウエイトがワイヤーロープを介して連結されており、昇降台の昇降に応じて下降、上昇するカウンターウエイトに対して特に警報装置は設けられていない。このため、工事用昇降装置の運転中に静かに上下動しているカウンターウエイトに作業員がうっかり挟まれてしまうという事故が発生している。
【０００３】
【発明が解決しようとする課題】
この種の事故の発生を防止するため、静かに上下動するカウンターウエイトに電気的に作動する近接警報器、例えばメロディーホーン、フラッシュライト等を取り付け、カウンターウエイトが昇降してきたときに、その上方、下方にいる作業員に対しカウンターウエイトが接近しつつあることを報知して注意を促すように構成することが考えられる。
【０００４】
しかしながら、カウンターウエイトは吊り下げ用のワイヤーロープを介して昇降台と連結され、昇降台と連結された昇降駆動装置を上昇、加工させることにより、カウンターウエイトも上昇、下降する構成であるから、カウンターウエイトには電源が供給されておらず、近接警報器をカウンターウエイトに設置することができなかった。
【０００５】
本発明の目的は、したがって、工事用昇降装置のカウンターウエイトの昇降路近接作業中の作業員に対し、カウンターウエイトが近接したときに注意を喚起させることができるようにした、工事用昇降装置のカウンターウエイト近接警報装置を提供することにある。
【０００６】
【課題を解決するための手段】
上記課題を解決するための本発明の特徴は、頂部シーブに捲着されたワイヤーロープを介して昇降台と連結されているカウンターウエイトの近接を作業員に知らせるための、工事用昇降装置のカウンターウエイト近接警報装置において、前記ワイヤーロープを電らん入りロープとすると共に前記カウンターウエイトに近接警報器を設け、該近接警報器に前記電らん入りロープ内の電線を介して前記昇降台から電力供給を行うようにした点にある。
【０００７】
カウンターウエイトに設けられた近接警報器には、昇降台に供給されている電力が電らん入りロープ内の電線を経由して供給され、近接警報器が常時作動可能となっている。
【０００８】
近接警報器は、例えばブザーとフラッシュライトとすることもできる。警報ブザーに代えてメロディーホーンとしてもよい。カウンターウエイトにこのような構成の近接警報器を設けておけば、昇降路近接作業中の作業員に対してカウンターウエイトが近づいてきたことの注意を喚起することができる。
【０００９】
【発明の実施の形態】
以下、図面を参照して本発明の実施の形態の一例につき詳細に説明する。
【００１０】
図１は、本発明による近接警報装置を設けた工事用エレベータの実施の形態の一例を示す立面図である。工事用エレベータ１は、工事現場に仮設されたものであり、基礎面Ｇに立設された昇降用（昇降路）の支柱２と、この支柱２の一側面２Ａにおいて鉛直方向に案内されて昇降する昇降台３と、支柱２の他側面２Ｂにおいて同じく鉛直方向に案内されて上下動するカウンターウエイト４とを備えている。
【００１１】
符号５で示されるのは、電らん入りのワイヤーロープであり、その一端部５Ａは昇降台３に連結され、その他端部５Ｂはカウンターウエイト４に連結されている。このワイヤーロープ５は、支柱２の上端部に配設されている頂部シーブ６Ａに捲着されており、昇降台と連結された昇降駆動装置６が上昇、下降することで頂部シーブ６Ａを矢印Ｕ方向又はＤ方向に回すことにより、カウンターウエイト４が上昇又は下降する公知の構成である。
【００１２】
昇降台３には外部から電力の供給が行われており、昇降台３の下面３Ａに取り付けられているメロディーホーン７及びフラッシュライト８と、昇降台３のかご３Ｂの上端３Ｃに取り付けられているフラッシュライト９とに、それぞれ所要の電力が供給され、メロディーホーン７及びフラッシュライト８、９が昇降台３の昇降時にそれぞれ作動する構成となっている。このように、メロディーホーン７及びフラッシュライト８、９は、昇降台３の昇降時にその近接を作業者等に知らせ注意を喚起するための手段として設けられている。
【００１３】
一方、カウンターウエイト４にも、その昇降路近接作業中の作業員にカウンターウエイト４の近接注意を喚起させる目的で、近接警報器が取り付けられている。本実施の形態では、カウンターウエイト４の下面４Ａにメロディーホーン１０とフラッシュライト１１とが近接警報器として設けられると共に、カウンターウエイト４の上面にもフラッシュライト１２が近接警報器として設けられている。カウンターウエイト４に設けられる近接警報器の種類と数とは適宜に定めることができる。
【００１４】
電源設備のないカウンターウエイト４に取り付けられたメロディーホーン１０及びフラッシュライト１１、１２に昇降台３から電力を供給するため、ワイヤーロープ５には電らん入りのワイヤーロープが使用されている。
【００１５】
図２及び図３には、この電らん入りのワイヤーロープ５の構成が詳細に示されている。図２及び図３から判るように、ワイヤーロープ５はロープの繊維心の中に電らんを入れたものである。すなわち、ストランド５１に囲まれている心綱５２内に、絶縁体５３に被覆された電線５４が複数本綿糸を介在させて通されているビニールシース５５を配設した公知の構造となっている。電らん入りのワイヤーロープ５は多種多様なロープの構成、種類、径に対応でき、機械的特性は一般繊維心入りロープと同等であるため、あらゆる機種のエレベーター、リフトに対応可能である。
【００１６】
図１に戻ると、ワイヤーロープ５内に仕込まれている電線５４によって、メロディーホーン１０及びフラッシュライト１１、１２はそれぞれ昇降台３内の電源盤１３と接続されている。電源盤１３には、外部電源盤１７から電源ケーブル１６、電源中継ボックス１４、電源ケーブル１５を介して電力が供給されており、この供給電力の一部が電源盤１３及び電線５４を介して、カウンターウエイト４に設けられているメロディーホーン１０及びフラッシュライト１１、１２に供給される。カウンターウエイト４の近接警報装置の電力は感電事故がないよう昇降台３の電源盤１３にて直流２４Ｖに整流して供給される。
【００１７】
この結果、カウンターウエイト４の昇降時にメロディーホーン１０が鳴ると共に、フラッシュライト１１、１２が発光し、カウンターウエイト４の昇降路作業中の作業員の注意を喚起することができる。したがって、作業員はカウンターウエイト４の接近を音と光によって容易に察知することができ、作業員が作業中カウンターウエイト４に挟まれるという事故を有効に防止することができる。
【００１８】
【発明の効果】
本発明によれば、上述の如く、カウンターウエイトにブザー又はメロディーホーン及び又はフラッシュライト等の近接警報器を設け、近接警報器に、昇降台に供給されている電力を電らん入りロープ内の電線を経由して供給されるようにしたので、昇降路近接作業中の作業員に対してカウンターウエイトが近づいてきたことの注意を喚起することができる。したがって、カウンターウエイトの近接作業中の作業員が接近してきたカウンターウエイトに挟まれるという事故を有効に防止することができる。
【図面の簡単な説明】
【図１】本発明による近接警報装置を設けた工事用エレベータの実施の形態の一例を示す立面図。
【図２】図１に示した電らん入りのワイヤーロープの端部付近の正面図。
【図３】図２のＡ−Ａ線断面図。
【符号の説明】
１  工事用エレベータ
２  支柱
３  昇降台
４  カウンターウエイト
５  ワイヤーロープ
６  昇降駆動装置
６Ａ  頂部シーブ
７、１０  メロディーホーン
８、９、１１、１２  フラッシュライト
１３  電源盤
１４  電源中継ボックス
１５、１６  電源ケーブル
１７  外部電源盤
５１  ストランド
５２  心綱
５３  絶縁体
５４  電線
５５  ビニールシース
Ｇ  基礎面
【図１】
0004189891.tif 000002
【図２】
0004189891.tif 000003
【図３】
0004189891.tif 000004